(57)【要約】【課題】  従来の技術による諸問題を解決するための省電力ビデオ処理チップを提供する。【解決手段】  ビデオ処理チップは、プログラムコードを実行するマイクロプロセッサーと、受信画像のスケールを調整するスカラーと、マイクロプロセッサーとスカラーとに結合され、スカラーに対し映像処理に必要な空間を提供する第一メモリーと、マイクロプロセッサーに結合され、電源スイッチを制御するマイクロプロセッサーのプログラムコードを保存する第二メモリーとを含む。【選択図】  図３
0003131912.tif 000002
【実用新案登録請求の範囲】
【請求項１】
省電力のビデオ処理チップであって、
プログラムコードを実行するマイクロプロセッサーと、
受信画像のスケールを調整するスカラーと、
マイクロプロセッサーとスカラーとに結合され、スカラーに対し映像処理に必要な空間を提供する第一メモリーと、
マイクロプロセッサーに結合され、電源スイッチを制御するマイクロプロセッサーのプログラムコードを保存する第二メモリーとを含む、ビデオ処理チップ。
【請求項２】
前記第一メモリーの容量は第二メモリーの容量より大きい、請求項１記載のビデオ処理チップ。
【請求項３】
前記ビデオ処理チップは、スカラーに結合されるタイミングコントローラーを更に含む、請求項１記載のビデオ処理チップ。
【請求項４】
前記ビデオ処理チップは、タイミングコントローラーに結合され、スカラーとタイミングコントローラーとにより処理された信号を出力する出力装置を更に含む、請求項３記載のビデオ処理チップ。
【請求項５】
前記ビデオ処理チップは、スカラーの入力端に結合され、映像信号を受信する入力装置を更に含む、請求項１記載のビデオ処理チップ。
【請求項６】
前記マイクロプロセッサーは８０５１シングルチップである、請求項１記載のビデオ処理チップ。
【請求項７】
前記マイクロプロセッサーは複数の入出力ポートを含む、請求項１記載のビデオ処理チップ。
【請求項８】
前記第一メモリーはＳＲＡＭ（スタティックランダムアクセスメモリー）である、請求項１記載のビデオ処理チップ。
【請求項９】
前記第二メモリーはＳＲＡＭである、請求項１記載のビデオ処理チップ。
【請求項１０】
前記第二メモリーはＲＯＭ（読み出し専用メモリー）である、請求項１記載のビデオ処理チップ。
【請求項１１】
省電力のＡＶ（音声映像）システムであって、
第一マイクロプロセッサーを有するＡＶ制御装置と、
ＡＶ制御装置に結合されるフラッシュメモリーと、
ビデオ処理チップとを含み、前記ビデオ処理チップは、
プログラムコードを実行する第二マイクロプロセッサーと、
受信画像のスケールを調整するスカラーと、
第二マイクロプロセッサーとスカラーとに結合され、スカラーに対し映像処理に必要な空間を提供する第一メモリーと、
第二マイクロプロセッサーに結合され、電源スイッチを制御する第二マイクロプロセッサーのプログラムコードを保存する第二メモリーとを含む、ＡＶシステム。
【請求項１２】
前記第一メモリーの容量は第二メモリーの容量より大きい、請求項１１記載のＡＶシステム。
【請求項１３】
前記ＡＶシステムは、第一マイクロプロセッサーと第二マイクロプロセッサーの間に結合され、信号を伝送するシリアルバスインターフェイスを更に含む、請求項１１記載のＡＶシステム。
【請求項１４】
前記ＡＶシステムは、スカラーに結合されるタイミングコントローラーを更に含む、請求項１１記載のＡＶシステム。
【請求項１５】
前記ＡＶシステムは、タイミングコントローラーに結合され、スカラーとタイミングコントローラーに処理された信号を出力する出力装置を更に含む、請求項１４記載のＡＶシステム。
【請求項１６】
前記ＡＶシステムは、スカラーの入力端に結合され、映像信号を受信する入力装置を更に含む、請求項１１記載のＡＶシステム。
【請求項１７】
前記マイクロプロセッサーは８０５１シングルチップである、請求項１１記載のＡＶシステム。
【請求項１８】
前記マイクロプロセッサーは複数の入出力ポートを含む、請求項１１記載のＡＶシステム。
【請求項１９】
前記第一メモリーはＳＲＡＭである、請求項１１記載のＡＶシステム。
【請求項２０】
前記第二メモリーはＳＲＡＭである、請求項１１記載のＡＶシステム。
【請求項２１】
前記第二メモリーはＲＯＭである、請求項１１記載のＡＶシステム。
【請求項２２】
前記ＡＶ制御装置はＤＶＤプレイヤーである、請求項１１記載のＡＶシステム。
【請求項２３】
前記ＡＶ制御装置はＤＶＤレコーダーである、請求項１１記載のＡＶシステム。
【請求項２４】
前記ＡＶ制御装置は家庭用テレビである、請求項１１記載のＡＶシステム。
【考案の詳細な説明】
【技術分野】
【０００１】
この考案はビデオ処理チップに関し、特に電源スイッチを制御するマイクロプロセッサーのプログラムコードを保存するメモリーを有するビデオ処理チップに関する。
【背景技術】
【０００２】
ＤＶＤプレイヤーは広範囲に普及されている電子ＡＶ（音声映像）装置である。表示パネルの発展及び低価化に伴い、携帯型のＡＶ装置も普及しつつある。携帯型ＡＶ装置では、電力消費の削減は特に配慮しなければならないことである。
【０００３】
図１を参照する。図１は従来のＡＶシステム１０を表す説明図である。ＡＶシステム１０はＡＶ制御装置１２とビデオ処理チップ１６を含む。ＡＶ制御装置１２の出力端１２２に結合されるビデオ処理チップ１６は映像信号を受信する。ＡＶ制御装置１２はＡＶ制御装置１２の動作を制御する第一マイクロプロセッサー１１を含む。そのほか、ＡＶ制御装置１２の外部にはプログラムコードを保存するフラッシュメモリー１３Ａが接続されている。ビデオ処理チップ１６は第二マイクロプロセッサー１７と、フラッシュメモリー１３Ｂと、スカラー３９と、タイミングコントローラー（ＴＣ）３８と、第一メモリー１４を含む。
【０００４】
図１によれば、ビデオ処理チップ１６の外部に結合されている第二マイクロプロセッサー１７は簡単なプログラムコードを実行する８０５１シングルチップであり、第二マイクロプロセッサー１７の外部に結合されているフラッシュメモリー１３Ｂは第二マイクロプロセッサー１７に必要なプログラムコードを保存している。スカラー３９は受信された映像のスケールを調整し、タイミングコントローラー３８はスカラー３９に結合されている。スカラー３９に結合されている第一メモリー１４は、スカラー３９に対し映像処理に必要なメモリー空間を提供する。ビデオ処理チップ１６は更に、タイミングコントローラー３８に結合され、スカラー３９とタイミングコントローラー３８とにより処理された信号を出力するための出力装置１９を含む。そのほか、ビデオ処理チップ１６は更に、スカラー３９とＡＶ制御装置１２の出力端１２２の間に結合され、ＡＶ制御装置１２からの映像信号を受信する入力装置１８を含む。そのうち、第一メモリー１４はＳＲＡＭ（スタティックランダムアクセスメモリー）である。
【０００５】
図２を参照する。図２はその他の従来のＡＶシステム２０を表す説明図である。ＡＶシステム２０はＡＶ制御装置１２とビデオ処理チップ２６を含む。ＡＶ制御装置１２の出力端１２２に結合されるビデオ処理チップ２６は映像信号を受信し、映像処理を行ったうえ処理済の映像信号を出力する。ＡＶ制御装置１２はその動作を制御する第一マイクロプロセッサー１１を含む。そのほか、ＡＶ制御装置１２の外部にはプログラムコードを保存するフラッシュメモリー１３Ａが接続されている。ビデオ処理チップ２６は第二マイクロプロセッサー２７と、フラッシュメモリー２３と、スカラー３９と、タイミングコントローラー３８と、第一メモリー１４を含む。
【０００６】
図２によれば、第二マイクロプロセッサー２７はビデオ処理チップ２６の内部素子である。第二マイクロプロセッサー２７は簡単なプログラムコードを実行する８０５１シングルチップであり、第二マイクロプロセッサー２７の外部に結合されているフラッシュメモリー２３は第二マイクロプロセッサー２７に必要なプログラムコードを保存している。スカラー３９は受信された映像のスケールを調整し、タイミングコントローラー３８はスカラー３９に結合されている。スカラー３９に結合されている第一メモリー１４は、スカラー３９に対し映像処理に必要なメモリー空間を提供する。ビデオ処理チップ２６は更に、タイミングコントローラー３８に結合され、スカラー３９とタイミングコントローラー３８に処理された信号を出力するための出力装置１９を含む。そのほか、ビデオ処理チップ１６は更に、スカラー３９とＡＶ制御装置１２の出力端１２２の間に結合され、ＡＶ制御装置１２からの映像信号を受信する入力装置１８を含む。そのうち、第一メモリー１４はＳＲＡＭである。
【０００７】
従来の技術では、第二マイクロプロセッサーがビデオ処理チップの外部素子であれ内部素子であれ、所要のプログラムコードを保存するためいずれも外部接続のフラッシュメモリー１３Ｂ（図１）またはフラッシュメモリー２３（図２）を必要とするので、コスト増は避けられない。のみならず、ＡＶシステム１０・２０がスタンバイモードに入っていても、起動指令を受信した場合の作動を確保するため、第一マイクロプロセッサー１１に電源を常時提供しなければならない。電源を完全に切ることができないから、不必要な電力消費は問題となる。
【考案の開示】
【考案が解決しようとする課題】
【０００８】
この考案は前述の問題を解決するための省電力ビデオ処理チップを提供することを課題とする。
【課題を解決するための手段】
【０００９】
この考案は省電力のビデオ処理チップを提供する。該ビデオ処理チップは、プログラムコードを実行するマイクロプロセッサーと、受信画像のスケールを調整するスカラーと、マイクロプロセッサーとスカラーに結合され、スカラーに対し映像処理に必要な空間を提供する第一メモリーと、マイクロプロセッサーに結合され、電源スイッチを制御するマイクロプロセッサーのプログラムコードを保存する第二メモリーとを含む。
【００１０】
この考案は更に省電力のＡＶシステムを提供する。ＡＶシステムは、第一マイクロプロセッサーを有するＡＶ制御装置と、ＡＶ制御装置に結合されるフラッシュメモリーと、ビデオ処理チップを含む。そのうちビデオ処理チップは、プログラムコードを実行する第二マイクロプロセッサーと、受信画像のスケールを調整するスカラーと、第二マイクロプロセッサーとスカラーに結合され、スカラーに対し映像処理に必要な空間を提供する第一メモリーと、第二マイクロプロセッサーに結合され、電源スイッチを制御する第二マイクロプロセッサーのプログラムコードを保存する第二メモリーとを含む。
【考案の効果】
【００１１】
この考案は、電源スイッチを制御するマイクロプロセッサーのプログラムコードを保存するメモリーを増設したビデオ処理チップ３６を提供する。別々の電源モードで第一メモリーと第二メモリーを使用することによって、第二マイクロプロセッサーに種々の機能を持たせる。スタンバイモードでは、ＡＶシステム全体は第二マイクロプロセッサーの制御を受ける。この場合、ＡＶシステムのその他の電源をすべて切ることによって、ＡＶ制御装置の電力消費を節約すると同時に、ＡＶ制御装置を立ち上げる指令を受けた後ＡＶシステム全体の正常作動を確保する。第二マイクロプロセッサーは第一メモリーを使用できるので、より多くかつ複雑な指令を実行できる。アクティブモードでは、第二マイクロプロセッサーは入出力拡張器として入出力ポートを拡張する機能を有する。そのほか、この考案は第一メモリーと第二メモリーの使用率を高め、外部接続のフラッシュメモリーを省くことによってコストを節約できる。この考案は、低電力消費が重要な要件である小型ＴＦＴ−ＬＣＤにも適する。
【考案を実施するための最良の形態】
【００１２】
かかる装置の特徴を詳述するために、具体的な実施例を挙げ、図示を参照して以下に説明する。
【００１３】
図３を参照する。図３はこの考案によるＡＶシステム３０を表す説明図である。ＡＶシステム３０はＡＶ制御装置１２とビデオ処理チップ３６を含む。ＡＶ制御装置１２の出力端１２２に結合されるビデオ処理チップ３６は映像信号を受信し、映像処理を行ったうえ処理済の映像信号を出力する。ＡＶ制御装置１２は、ＡＶ制御装置１２の動作を制御する第一マイクロプロセッサー１１を含む。そのほか、ＡＶ制御装置１２の外部にはプログラムコードを保存するフラッシュメモリー１３Ａが接続されている。ビデオ処理チップ３６は第二マイクロプロセッサー３７と、スカラー３９と、タイミングコントローラー３８と、第一メモリー１４と、第二メモリー３４を含む。
【００１４】
図３によれば、第二マイクロプロセッサー３７はビデオ処理チップ３６の内部素子である。第二マイクロプロセッサー３７は簡単なプログラムコードを実行する８０５１シングルチップであり、入出力の拡張またはＧＰＩＯピンの制御に用いられる複数の入出力ポート３７２を含む。スカラー３９は受信された映像のスケールを調整し、タイミングコントローラー３８はスカラー３９に結合されている。第二マイクロプロセッサー３７とスカラー３９に結合されている第一メモリー１４は、スカラー３９に対し映像処理に必要なメモリー空間を提供する。第二マイクロプロセッサー３７に結合されている第二メモリー３４は、電源スイッチを制御する第二マイクロプロセッサーのプログラムコードを保存している。第一メモリー１４の容量は第二メモリー３４の容量より大きい。ビデオ処理チップ３６は更に、タイミングコントローラー３８に結合され、スカラー３９とタイミングコントローラー３８とにより処理された信号を出力するための出力装置１９を含む。そのほか、ビデオ処理チップ１６は更に、スカラー３９とＡＶ制御装置１２の出力端１２２の間に結合され、ＡＶ制御装置１２からの映像信号を受信する入力装置１８を含む。そのうち、第一メモリー１４はＳＲＡＭであり、第二メモリー３４はＳＲＡＭまたはＲＯＭ（読み出し専用メモリー）である。
【００１５】
図３を参照する。別々の電源モードで第一メモリー１４と第二メモリー３４を使用することによって、第二マイクロプロセッサー３７に種々の機能を持たせることが可能である。アクティブモードでは、ＡＶシステム３０全体は第一マイクロプロセッサー１１の制御を受け、この場合第二マイクロプロセッサー３７は入出力拡張器として機能する。第一メモリー１４はスカラー３９に対し映像処理に必要なメモリー空間を提供し、第二メモリー３４は第二マイクロプロセッサー３７に対し簡単なプログラムを実行するための保存空間を提供する。
【００１６】
スタンバイモードに入る前に、第一マイクロプロセッサー１１はシリアルバスインターフェイス３３を介して立ち上げに必要な情報と符号化／復号化情報をビデオ処理チップ３６のメモリーに送信する。そうするとＡＶシステム３０全体は第二マイクロプロセッサー３７の制御を受けるようになる。この場合、ＡＶシステム３０のその他の電源（ＡＶ制御装置１２の第一マイクロプロセッサー１１を含む）をすべて切ることによって、ＡＶ制御装置１２の電力消費を節約すると同時に、ＡＶシステム３０全体のスタンバイモードへの移行、及びＡＶ制御装置１２を立ち上げる指令を受けた後の正常作動を確保する。この場合、第二マイクロプロセッサー３７は第一メモリー１４と第二メモリー３４をいずれも使用できるので、より多くかつ複雑な指令、例えば遠隔制御信号の受信、定時起動、またはＡＶインターフェイスを通し使用者が選んだ制御信号の受信などを実行できる。前述の実施例は、この考案の第二マイクロプロセッサー３７に実行可能な指令を例示するに過ぎず、その範囲を制限するものではない。
【００１７】
図４と図３を参照する。図４は図３のビデオ処理チップ３６のバックエンド出力を表す説明図である。フロントエンドがＡＶ制御装置１２に結合されるビデオ処理チップ３６はＡＶ制御装置からの映像信号を受信し、スカラー３９とタイミングコントローラー３８による映像処理を経て、出力装置１９を介して表示器４１に信号を出力する。画面を表示するための表示器４１は例えば薄膜トランジスター液晶ディスプレイ（ＴＦＴ−ＬＣＤ）などである。ＡＶ制御装置１２はＤＶＤプレイヤー、ＤＶＤレコーダーまたは家庭用テレビである。ＤＶＤシステムは一般に２枚のチップを含み、そのうち一つはＤＶＤプレイヤーの映像を制御するものであり（すなわち図３のＡＶ制御装置１２）、もう一つは表示器の再生を制御するものである（すなわち図３のビデオ処理チップ３６）。表示器４１でＤＶＤプレイヤーの映像を見るためには両者を兼ね備えなければならない。
【００１８】
前述の実施例は、この考案の例示に過ぎず、この考案を制限するものではない。前記第一メモリー１４と第二メモリー３４は２個のメモリーを指すだけではない。実際、１個のメモリーに二つのブロックを区分してそれぞれにあてることも可能である。第二マイクロプロセッサー３７としては８０５１シングルチップだけでなく、その他の素子を使用することも可能である。８０５１シングルチップは前記入出力拡張器以外にもさまざまな用途を有する。また、第二メモリー３４としてはＳＲＡＭまたはＲＯＭだけでなく、その他のメモリーを使用することも可能である。
【００１９】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【産業上の利用可能性】
【００２０】
この考案は第一メモリーと第二メモリーの使用率を高め、外部接続のフラッシュメモリーを省くことによってコストを節約できるので、低電力消費が重要な要件である小型ＴＦＴ−ＬＣＤにも適する。
【図面の簡単な説明】
【００２１】
【図１】従来のＡＶシステムを表す説明図である。
【図２】その他の従来のＡＶシステムを表す説明図である。
【図３】この考案によるＡＶシステムを表す説明図である。
【図４】図３のビデオ処理チップのバックエンド出力を表す説明図である。
【符号の説明】
【００２２】
１０、２０、３０      ＡＶシステム
１１      第一マイクロプロセッサー
１２      ＡＶ制御装置
１３Ａ、１３Ｂ、２３  フラッシュメモリー
１４      第一メモリー
１６、２６、３６      ビデオ処理チップ
１７、２７、３７      第二マイクロプロセッサー
１８      入力装置
１９      出力装置
３３      シリアルバスインターフェイス
３４      第二メモリー
３８      タイミングコントローラー
３９      スカラー
４１      表示器
１２２    出力端
３７２    入出力ポート
【図１】
0003131912.tif 000003
【図２】
0003131912.tif 000004
【図３】
0003131912.tif 000005
【図４】
0003131912.tif 000006